(57)【要約】【課題】衣類または衣類パーツのための胸部支持体を提供すること。【解決手段】衣類または衣類パーツのための胸部支持体（１２ａ，１２ｂ）が、第１平面状主要面を有する実質的に直線状の弾性材料片（１６ａ，１６ｂ）によって形成された細長い弾性材料の第１片と、第２平面状主要面（１８）と内側円弧状縁（１３ａ，１３ｂ）と外側円弧状縁（１５ａ，１５ｂ）とを有する円弧状の弾性材料片（１４ａ，１４ｂ）によって形成された細長い弾性材料の第２片と、を含むものとして開示されている。前記細長い弾性材料の第１片（１６ａ，１６ｂ）は、前記細長い弾性材料の第２片（１４ａ，１４ｂ）と、前記細長い弾性材料の第１片（１６ａ，１６ｂ）の全長に沿って、固定係合されて接触されている。【選択図】図５
2020079474.tif 000002
【特許請求の範囲】
【請求項１】
第１平面状主要面と第１曲率とを有する弾性材料片によって形成された細長い弾性材料の第１片と、
第２平面状主要面と前記第１曲率とは異なる第２曲率とを有する弾性材料片によって形成された細長い弾性材料の第２片と、
を備え、
前記細長い弾性材料の第１片は、前記細長い弾性材料の第２片と、少なくとも前記細長い弾性材料の第１片の長さの大部分に沿って、固定係合されて接触されている
ことを特徴とする衣類または衣類パーツのための胸部支持体。
【請求項２】
前記細長い弾性材料の第１片は、実質的に直線状であり、
前記細長い弾性材料の第２片は、円弧状である
ことを特徴とする請求項１に記載の胸部支持体。
【請求項３】
前記細長い弾性材料の第２片は、内側円弧状縁と外側円弧状縁とを有している
ことを特徴とする請求項１または２に記載の胸部支持体。
【請求項４】
前記細長い弾性材料の第１片は、前記細長い弾性材料の第２片の前記内側円弧状縁よりも短い
ことを特徴とする請求項３に記載の胸部支持体。
【請求項５】
前記細長い弾性材料の第１片は、前記細長い弾性材料の第２片と、前記細長い弾性材料の第１片の実質的に全長に沿って、固定係合されて接触されている
ことを特徴とする請求項１乃至４のいずれかに記載の胸部支持体。
【請求項６】
前記細長い弾性材料の第１片の前記第１平面状主要面が、前記細長い弾性材料の第２片の前記第２平面状主要面と、固定係合されて接触されている
ことを特徴とする請求項１乃至５のいずれかに記載の胸部支持体。
【請求項７】
前記細長い弾性材料の第１片は、エチレンビニルアセテート、圧縮ポリウレタン、圧縮繊維充填材、及び／または、弾性被覆繊維、からなっている
ことを特徴とする請求項１乃至６のいずれかに記載の胸部支持体。
【請求項８】
前記細長い弾性材料の第２片は、エチレンビニルアセテート、圧縮ポリウレタン、圧縮繊維充填材、及び／または、弾性被覆繊維、からなっている
ことを特徴とする請求項１乃至５のいずれかに記載の胸部支持体。
【請求項９】
前記細長い弾性材料の第１片と前記細長い弾性材料の第２片とは、同一の材料または異なる材料からなっている
ことを特徴とする請求項１乃至８のいずれかに記載の胸部支持体。
【請求項１０】
前記細長い弾性材料の第１片は、前記細長い弾性材料の第２片と、縫合及び／またはラミネート加工によって、固定係合されている
ことを特徴とする請求項１乃至８のいずれかに記載の胸部支持体。
【請求項１１】
少なくとも一つの請求項１に記載の胸部支持体を含む、衣類または衣類パーツ。
【請求項１２】
（ａ）第１平面状主要面と第１曲率とを有する細長い弾性材料の第１片を提供する工程と、
（ｂ）第２平面状主要面と前記第１曲率とは異なる第２曲率とを有する細長い弾性材料の第２片を提供する工程と、
（ｃ）前記細長い弾性材料の第１片を、前記細長い弾性材料の第２片と、少なくとも前記細長い弾性材料の第１片の長さの大部分に沿って、固定係合して接触させる工程と、
を備えたことを特徴とする、衣類または衣類パーツのための胸部支持体を形成する方法。
【請求項１３】
前記細長い弾性材料の第１片は、実質的に直線状であり、
前記細長い弾性材料の第２片は、円弧状である
ことを特徴とする請求項１２に記載の方法。
【請求項１４】
前記細長い弾性材料の第２片は、内側円弧状縁と外側円弧状縁とを有している
ことを特徴とする請求項１２または１３に記載の方法。
【請求項１５】
前記細長い弾性材料の第１片は、前記細長い弾性材料の第２片の前記内側円弧状縁よりも短い
ことを特徴とする請求項１４に記載の方法。
【請求項１６】
前記細長い弾性材料の第１片は、前記細長い弾性材料の第２片と、前記細長い弾性材料の第１片の実質的に全長に沿って、固定係合されて接触されている
ことを特徴とする請求項１２乃至１５のいずれかに記載の方法。
【請求項１７】
前記細長い弾性材料の第１片の前記第１平面状主要面が、前記細長い弾性材料の第２片の前記第２平面状主要面と、固定係合されて接触されている
ことを特徴とする請求項１２乃至１６のいずれかに記載の方法。
【請求項１８】
前記細長い弾性材料の第１片は、エチレンビニルアセテート、圧縮ポリウレタン、圧縮繊維充填材、及び／または、弾性被覆繊維、からなっている
ことを特徴とする請求項１２乃至１７のいずれかに記載の方法。
【請求項１９】
前記細長い弾性材料の第２片は、エチレンビニルアセテート、圧縮ポリウレタン、圧縮繊維充填材、及び／または、弾性被覆繊維、からなっている
ことを特徴とする請求項１２乃至１８のいずれかに記載の方法。
【請求項２０】
前記細長い弾性材料の第１片と前記細長い弾性材料の第２片とは、同一の材料または異なる材料からなっている
ことを特徴とする請求項１２乃至１９のいずれかに記載の方法。
【請求項２１】
前記工程（ｃ）において、前記細長い弾性材料の第１片は、前記細長い弾性材料の第２片と、縫合及び／またはラミネート加工によって、固定係合されている
ことを特徴とする請求項１２乃至２０のいずれかに記載の方法。
【請求項２２】
請求項１２に記載の方法によって形成された少なくとも一つの胸部支持体を、衣類または衣類パーツの中に導入する工程
を備えたことを特徴とする、衣類または衣類パーツを形成する方法。
【請求項２３】
前記少なくとも一つの胸部支持体は、前記衣類または衣類パーツの中に、型成形、縫合、及び／または、接着、によって導入される
ことを特徴とする請求項２２に記載の方法。
【発明の詳細な説明】
【技術分野】
【０００１】
本発明は、ブラジャー、裏地なしのブラジャー、水着、スポーツブラ、クロックトップ、スポーツトップ、寝間着、婦人用下着、性的衣類、矯正下着、コルセット、ウェディングドレス、及び、ブラジャーパッドを含むが、それらに限定されない、衣類または衣類パーツのための胸部支持体に関している。また、本発明は、そのような胸部支持体を有する衣類または衣類パーツ、そのような胸部支持体を形成する方法、及び、そのような胸部支持体を有する衣類または衣類パーツを形成する方法、に関している。
【背景技術】
【０００２】
現存するブラジャーは、一般的に、着用者の胸部の支持を提供するためのパッドを有している。この目的のために、そのようなパッドは、通常、着用者の胸部の支持を提供すると共にその形状を強調するべく、下方側に沿って隣接する金属ワイヤまたはプラスチックワイヤが設けられている。しかしながら、そのような従来のブラジャーは、以下の欠点の１以上を有している。
（ａ）そのような金属ワイヤないしプラスチックワイヤは、通常、Ｕ型の形状であり、人体の水平面内での断面曲率に合致するような形状ではなく、着用者の体に適切にフィットしない。
（ｂ）Ｕ型ワイヤは、着用者のあばら骨を押し付けたり着用者の脇の下の領域の肉に食い込んだりして、着用者に不快感を引き起こす。
（ｃ）金属ワイヤは、洗浄および乾燥サイクル中に、ブラジャーにワイヤ通路を貫通させてしまう等、ブラジャーに深刻な損傷を引き起こし得るし、ブラジャーの側部や底部から貫通して着用者に怪我や不快感を引き起こす。
【発明の概要】
【発明が解決しようとする課題】
【０００３】
本発明の目的は、前述の欠点が軽減され、少なくとも業界及び公衆に有用な代替品を提供できるような、衣類または衣類パーツのための胸部支持体、そのような胸部支持体を有する衣類または衣類パーツ、そのような胸部支持体を形成する方法、及び、そのような胸部支持体を有する衣類または衣類パーツを形成する方法、を提供することである。
【課題を解決するための手段】
【０００４】
本発明の第１の特徴によれば、第１平面状主要面と第１曲率とを有する弾性材料片によって形成された細長い弾性材料の第１片と、第２平面状主要面と前記第１曲率とは異なる第２曲率とを有する弾性材料片によって形成された細長い弾性材料の第２片と、を備え、前記細長い弾性材料の第１片は、前記細長い弾性材料の第２片と、少なくとも前記細長い弾性材料の第１片の長さの大部分に沿って、固定係合されて接触されていることを特徴とする衣類または衣類パーツのための胸部支持体、が提供される。
【０００５】
本発明の第２の特徴によれば、第１平面状主要面と第１曲率とを有する弾性材料片によって形成された細長い弾性材料の第１片と、第２平面状主要面と前記第１曲率とは異なる第２曲率とを有する弾性材料片によって形成された細長い弾性材料の第２片と、を備え、前記細長い弾性材料の第１片は、前記細長い弾性材料の第２片と、少なくとも前記細長い弾性材料の第１片の長さの大部分に沿って、固定係合されて接触されていることを特徴とする衣類または衣類パーツのための少なくとも一つの胸部支持体、
を含む衣類または衣類パーツ、が提供される。
【０００６】
本発明の第３の特徴によれば、（ａ）第１平面状主要面と第１曲率とを有する細長い弾性材料の第１片を提供する工程と、（ｂ）第２平面状主要面と前記第１曲率とは異なる第２曲率とを有する細長い弾性材料の第２片を提供する工程と、（ｃ）前記細長い弾性材料の第１片を、前記細長い弾性材料の第２片と、少なくとも前記細長い弾性材料の第１片の長さの大部分に沿って、固定係合して接触させる工程と、を備えたことを特徴とする、衣類または衣類パーツのための胸部支持体を形成する方法、が提供される。
【０００７】
本発明の第４の特徴によれば、（ａ）第１平面状主要面と第１曲率とを有する細長い弾性材料の第１片を提供する工程と、（ｂ）第２平面状主要面と前記第１曲率とは異なる第２曲率とを有する細長い弾性材料の第２片を提供する工程と、（ｃ）前記細長い弾性材料の第１片を、前記細長い弾性材料の第２片と、少なくとも前記細長い弾性材料の第１片の長さの大部分に沿って、固定係合して接触させる工程と、を備えたことを特徴とする、衣類または衣類パーツのための胸部支持体を形成する方法、によって形成された少なくとも一つの胸部支持体を、衣類または衣類パーツの中に導入する工程を備えたことを特徴とする、衣類または衣類パーツを形成する方法、が提供される。
【図面の簡単な説明】
【０００８】
【図１】図１は、各々が本発明による衣類または衣類パーツのための胸部支持体を含む、２つのブラジャーパッドの正面図である。
【図２】図２は、図１の２つのブラジャーパッドの内側図である。
【図３】図３は、着用者の胸部を支持するものとして示された、図１のブラジャーパッドのうちの１つの側方断面図である。
【図４】図４は、本発明による２つの胸部支持体を作成するための、円弧状の細長い弾性材料の２つの片と、直線状の細長い弾性材料の２つの片と、を示す図である。
【図５】図５は、本発明による胸部支持体を形成するための、互いに接触状態にある、図４の、直線状の細長い弾性材料の片の１つと、円弧状の細長い弾性材料の片の１つと、を示す図である。
【図６】図６は、本発明による第１の胸部支持体を示す図である。
【図７】図７は、本発明による第２の胸部支持体を示す図である。
【図８】図８は、本発明による胸部支持体の上方斜視図である。
【図９】図９は、本発明による別の胸部支持体の上方斜視図である。
【図１０】図１の２つのブラジャーパッドを製造する方法を示す図である。
【図１１】図１の２つのブラジャーパッドを製造する方法を示す図である。
【図１２】図１の２つのブラジャーパッドを製造する方法を示す図である。
【図１３】図１の２つのブラジャーパッドを製造する方法を示す図である。
【図１４】図１の２つのブラジャーパッドを製造する方法を示す図である。
【図１５】図１の２つのブラジャーパッドを製造する方法を示す図である。
【図１６】図１の２つのブラジャーパッドを製造する方法を示す図である。
【図１７】図１の２つのブラジャーパッドを製造する方法を示す図である。
【図１８】図１の２つのブラジャーパッドを製造する方法を示す図である。
【発明を実施するための形態】
【０００９】
図１は、それぞれ全体に符号１０ａ、１０ｂとして示された、２つのブラジャーパッドの正面図である。図２は、２つのブラジャーパッド１０ａ、１０ｂの内側図である。ブラジャーパッド１０ａ、１０ｂの各々には、それらの下方側１１ａ、１１ｂに沿って隣接する、本発明に従う胸部支持体１２が固定的に埋め込まれている。図３に更に詳細に示されている通り、２つのブラジャーパッド１０ａ、１０ｂを含むブラジャー（不図示）が着用者に着用される時、ブラジャーパッド１０ａ内の胸部支持体１２ａを例に取れば、当該胸部支持体１２ａは、着用者の胸部（Ｂ）の下方にあって、それに対する支持を提供する。
【００１０】
胸部支持体１２ａは、円弧状の細長い弾性材料の片１４ａと、直線状の細長い弾性材料の片１６ａと、からなっており、胸部支持体１２ｂは、円弧状の細長い弾性材料の片１４ｂと、直線状の細長い弾性材料の片１６ｂと、からなっている。図４は、円弧状の細長い弾性材料の２つの片１４ａ、１４ｂと、直線状の細長い弾性材料の２つの片１６ａ、１６ｂと、を示す上面図である。一方の直線状の細長い弾性材料１６ａ、１６ｂと、他方の（対応する）円弧状の細長い弾性材料１４ａ、１４ｂとは、曲率が異なっている。円弧状の細長い弾性材料の２つの片１４ａ、１４ｂ及び直線状の細長い弾性材料の２つの片１６ａ、１６ｂの各々は、それぞれ、互いに平行な上方平面状主要面と下方平面状主要面とを有している。円弧状の細長い弾性材料１４ａは、当該円弧状の細長い弾性材料１４ａの上下面に隣接して、内側円弧状縁１３ａと外側円弧状縁１５ａとを有している。外側円弧状縁１５ａは、内側円弧状縁１３ａより長い。円弧状の細長い弾性材料１４ｂは、当該円弧状の細長い弾性材料１４ｂの上下面に隣接して、内側円弧状縁１３ｂと外側円弧状縁１５ｂとを有している。外側円弧状縁１５ｂは、内側円弧状縁１３ｂより長い。
【００１１】
厳格には必要とされないが、円弧状の細長い弾性材料の片１４ａの内側円弧状縁１３ａは、直線状の細長い弾性材料の片１６ａの長さよりも、通常は長く、円弧状の細長い弾性材料の片１４ｂの内側円弧状縁１３ｂは、直線状の細長い弾性材料の片１６ｂの長さよりも、通常は長い。
【００１２】
円弧状の細長い弾性材料の２つの片１４ａ、１４ｂ及び直線状の細長い弾性材料の２つの片１６ａ、１６ｂは、同一の材料または異なる材料からなっている。特には、それらは、エチレンビニルアセテート、圧縮ポリウレタン、圧縮繊維充填材、及び／または、弾性被覆繊維、からなっており、円弧状の細長い弾性材料の片１４ａ、１４ｂ及び直線状の細長い弾性材料の片１６ａ、１６ｂは、曲線を形成するように曲げられるとき、弾性的である。更には、円弧状の細長い弾性材料の２つの片１４ａ、１４ｂ及び直線状の細長い弾性材料の２つの片１６ａ、１６ｂは、それぞれ曲線形状に曲げられ得る一方で、それらはそのような曲げに対して弾性的であり、それらの上下面が平坦である安定的な元の形状に戻る傾向を有している。
【００１３】
胸部支持体１２ａを形成するために、図５に示すように、直線状の細長い弾性材料の片１６ａは、当該直線状の細長い弾性材料の片１６ａの下方平面状主要面が円弧状の細長い弾性材料の片１４ａの上方平面状主要面１８と接触する、というように、円弧状の細長い弾性材料の片１４ａ上に配置される。円弧状の細長い弾性材料の片１４ａと直線状の細長い弾性材料の片１６ａとは、縫合及び／またはラミネート加工によって、直線状の細長い弾性材料の片１６ａの長さの少なくとも大部分に沿って（たとえば全長に沿って）、互いに固定的に係合される。円弧状の細長い弾性材料の片１４ａの内側円弧状縁１３ａの長さと、直線状の細長い弾性材料の片１６ａの長さと、の差のために、結果としての胸部支持体１２ａは、曲線形状を形成するように強制され、更なる形状変化に対して弾性的である。更には、胸部支持体１２ａが図６または図７に示されるような曲線形状にある時、外力を受けない限り、それは当該安定的な曲線形状を維持するであろう。胸部支持体１２がその形状（曲率）を変えるべく外力によって曲げられ得る一方で、当該外力が除去されると、それは安定的な曲線形状に戻るであろう。このような特性のために、胸部支持体１２ａは、当該胸部支持体１２ａを含む衣類または衣類パーツの着用者の胸部に支持を提供するであろう。
【００１４】
結果としての胸部支持体１２ａの曲率は、円弧状の細長い弾性材料の片１４ａの曲率に主として依存する。従って、直線状の細長い弾性材料の片１６ａと円弧状の細長い弾性材料の片１４ａとからなっている胸部支持体１２は、図６に示されるような第１曲率であり得るし、図７に示されるような第２曲率であり得る。それらは、円弧状の細長い弾性材料の片１４ａの曲率に依存する。この文脈において、本発明における「円弧状」という用語は、厳格な幾何学的な意味で理解されるべきでないことが、留意されるべきである。それは、したがって、円弧状の細長い弾性材料の片１４ａが正確な円周の一部形状である必要がなく、円弧の形状に大まかに似ていれば足りる、ということを意味する。
【００１５】
図８は、胸部支持体１２ａを示しており、図９は、胸部支持体１２ｂを示しているが、いずれも水平面上に着座している。胸部支持体１２ａ、１２ｂは、それらの円弧状の細長い弾性材料の片１４ａ、１４ｂの外側円弧状縁１５ａ、１５ｂが水平面に接触していて、それらの円弧状の細長い弾性材料の片１４ａ、１４ｂの内側円弧状縁１３ａ、１３ｂ水平面上方に当該水平面から離れている、というように水平面上に安定的に着座可能であるという弾性を有している、ことが見出だされる。
【００１６】
図１０乃至図１８は、本発明に従って図１の２つのブラジャーパッド１０ａ、１０ｂを製造する方法を示している。図１０は、繊維材料の層１０４と、フォーム材料の層１０６と、が互いに接着及び／または熱ラミネート加工によって固定的に係合されてなる前駆材料の第１片１０２、及び、フォーム材料の層１１０と、繊維材料の層１１２と、が互いに接着及び／または熱ラミネート加工によって固定的に係合されてなる前駆材料の第２片１０８、を示している。
【００１７】
図１１に示すように、前駆材料の第１片１０２が、（圧力によって、好適には更に熱を伴って）成形処理されるべき成形型の上モールドＭ１と下モールドＭ２との間に載置されて、図１３に示されるように、少なくとも２つのカップ型部を形成される。同様に、図１２に示すように、前駆材料の第２片１０８が、（圧力によって、好適には更に熱を伴って）成形処理されるべき上モールドＭ１と下モールドＭ２との間に載置されて、図１３に示されるように、少なくとも２つのカップ型部を形成される。
【００１８】
図１４に示されるように、接着剤の層１１４が、成形された前駆材料の第１片１０２のフォーム材料の層１０６に塗布される。それは、ブラジャーパッド１０ａ、１０ｂが正規に組み立てられる時、成形された前駆材料の第２片１０８に接触する。代替的または追加的に、接着剤の層が、成形された前駆材料の第２片１０８のフォーム材料の層１１０に塗布される。それは、ブラジャーパッド１０ａ、１０ｂが正規に組み立てられる時、成形された前駆材料の第１片１０２に接触する。
【００１９】
胸部支持体１２ａ、１２ｂは、その後、図１５に示されるように、成形された前駆材料の第２片１０８上に載置される。更に、図１６に示されるように、成形された前駆材料の第１片１０２と成形された前駆材料の第２片１０８とが、それらの間に胸部支持体１２ａ、１２ｂが挟まれた状態で、圧力による好適には熱を更に伴う成形処理のため上モールドＭ１と下モールドＭ２との間に載置される。胸部支持体１２ａ、１２ｂは、図１６においては、成形された前駆材料の第２片１０８から離れて図示されているが、前述した通り、胸部支持体１２ａ、１２ｂは成形された前駆材料の第２片１０８上に載置されることが理解されるべきである。
【００２０】
図１７は、上モールドＭ１及び下モールドＭ２を有する成形型から解放された後、更に一体のラミネート材料１１６を形成するべく成形処理が行われる、それらの間に胸部支持体１２ａ、１２ｂが挟まれた状態の、成形された前駆材料の第１片１０２と成形された前駆材料の第２片１０８とを示している。ブラジャーパッド１０ａ、１０ｂは、図１８に示されるように、当該一体のラミネート材料１１６から切り出されることで形成される。
【００２１】
ブラジャーパッド１０ａ、１０ｂは、ブラジャーを形成するために利用され得るし、他の衣類、例えば水着、に含まれることもできる。また、本発明は胸部支持体１２ａ、１２ｂが成形処理によってブラジャーパッド１０ａ、１０ｂ内に含まれるという内容で説明されてきたが、胸部支持体１２ａ、１２ｂは縫合及び／または接着によってブラジャーパッド１０ａ、１０ｂに含まれ得る、ということが考えられる。更に、胸部支持体１２ａ、１２ｂは、成形処理、縫合及び／または接着によって、裏地なしのブラジャー、水着、スポーツブラ、クロックトップ、スポーツトップ、寝間着、婦人用下着、性的衣類、矯正下着、コルセット、ウェディングドレス、といった他の衣類や衣類パーツに直接的に含まれることもできる。
【００２２】
それによって本発明が実施され得る前述の説明は、例示的なものであって、本発明の精神から離れることなく、それらに対する修正及び／または変更がなされ得ることが理解されるべきである。例えば、本発明は胸部支持体が直線状の細長い弾性材料の片と円弧状の細長い弾性材料の片とから形成されるという内容で説明されてきたが、胸部支持体が異なる曲率の円弧状の細長い弾性材料の２つの片から形成され得る、ということが考えられる。
【００２３】
明確性のために別箇の実施形態の内容で説明された本発明の幾つかの特徴は、単一の実施形態内に組み合わされて提供されてもよい。逆に、簡潔さのために単一の実施形態の内容で説明された本発明の様々な特徴は、別々に、あるいは、好適なサブコンビネーションとして、提供されてもよい。
【図１】
2020079474.tif 000003
【図２】
2020079474.tif 000004
【図３】
2020079474.tif 000005
【図４】
2020079474.tif 000006
【図５】
2020079474.tif 000007
【図６】
2020079474.tif 000008
【図７】
2020079474.tif 000009
【図８】
2020079474.tif 000010
【図９】
2020079474.tif 000011
【図１０】
2020079474.tif 000012
【図１１】
2020079474.tif 000013
【図１２】
2020079474.tif 000014
【図１３】
2020079474.tif 000015
【図１４】
2020079474.tif 000016
【図１５】
2020079474.tif 000017
【図１６】
2020079474.tif 000018
【図１７】
2020079474.tif 000019
【図１８】
2020079474.tif 000020
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
第１平面状主要面と第１曲率とを有する弾性材料片によって形成された細長い弾性材料の第１片と、
第２平面状主要面と前記第１曲率とは異なる第２曲率とを有する弾性材料片によって形成された細長い弾性材料の第２片と、
を備え、
前記細長い弾性材料の第１片は、前記細長い弾性材料の第２片と、少なくとも前記細長い弾性材料の第１片の長さの大部分に沿って、固定係合されて接触されている
ことを特徴とする衣類または衣類パーツのための胸部支持体。
【請求項２】
（ａ）第１平面状主要面と第１曲率とを有する細長い弾性材料の第１片を提供する工程と、
（ｂ）第２平面状主要面と前記第１曲率とは異なる第２曲率とを有する細長い弾性材料の第２片を提供する工程と、
（ｃ）前記細長い弾性材料の第１片を、前記細長い弾性材料の第２片と、少なくとも前記細長い弾性材料の第１片の長さの大部分に沿って、固定係合して接触させる工程と、
を備えたことを特徴とする、衣類または衣類パーツのための胸部支持体を形成する方法。